(57)【要約】【課題】圧縮信号を復号して得られる映像フレームと圧縮差分信号を復号して得られる差分映像フレームとを重畳する際、時間的に対応するフレーム同士が重畳されるようにタイミング調整することを、簡易な構成で容易に行ない得るようにした電子機器、電子機器の制御方法及び電子機器制御用プログラムを提供すること。【解決手段】実施の形態によれば、電子機器は、第１の復号手段と拡大手段と第２の復号手段と重畳手段と調整手段とを備える。第１の復号手段は、映像信号の低域成分を帯域圧縮した圧縮信号を復号して映像フレームを得る。拡大手段は、復号映像フレームを拡大する。第２の復号手段は、映像信号とその低域成分との差分を帯域圧縮した圧縮差分信号を復号して差分映像フレームを得る。重畳手段は、映像フレームと差分映像フレームとを重畳する。調整手段は、映像フレームと差分映像フレームとに対し、時間的に対応するフレーム同士が重畳手段で重畳されるようにタイミング調整を行なう。【選択図】    図４
2014146983.tif 000002
【特許請求の範囲】
【請求項１】
映像信号の低域成分を帯域圧縮した圧縮信号と、前記映像信号とその低域成分との差分を帯域圧縮した圧縮差分信号とが入力される入力手段と、
前記入力手段に入力された圧縮信号を復号して映像フレームを得る第１の復号手段と、
前記第１の復号手段で復号された映像フレームを拡大する拡大手段と、
前記入力手段に入力された圧縮差分信号を復号して差分映像フレームを得る第２の復号手段と、
前記拡大手段で拡大された映像フレームと前記第２の復号手段で復号された差分映像フレームとを重畳する重畳手段と、
前記拡大手段で拡大された映像フレームと前記第２の復号手段で復号された差分映像フレームとに対し、時間的に対応するフレーム同士が前記重畳手段で重畳されるようにタイミング調整を行なう調整手段とを具備する電子機器。
【請求項２】
前記調整手段は、前記第２の復号手段で復号された差分映像フレームに対して、前記拡大手段で拡大された映像フレームと時間的に対応するフレーム同士が前記重畳手段で重畳されるようにタイミング調整を行なう請求項１記載の電子機器。
【請求項３】
前記調整手段は、前記第２の復号手段に前記圧縮差分信号を復号させる時刻を補正することにより、前記第２の復号手段で復号された差分映像フレームに対してタイミング調整を行なう請求項２記載の電子機器。
【請求項４】
前記調整手段は、前記圧縮差分信号に含まれる復号の開始時刻を補正することにより、前記第２の復号手段で復号された差分映像フレームに対してタイミング調整を行なう請求項２記載の電子機器。
【請求項５】
前記調整手段は、前記第２の復号手段で復号された差分映像フレームを遅延させることにより、前記第２の復号手段で復号された差分映像フレームに対してタイミング調整を行なう請求項２記載の電子機器。
【請求項６】
入力手段により、映像信号の低域成分を帯域圧縮した圧縮信号と、前記映像信号とその低域成分との差分を帯域圧縮した圧縮差分信号とを入力し、
第１の復号手段により、前記入力手段に入力された圧縮信号を復号して映像フレームを得、
拡大手段により、前記第１の復号手段で復号された映像フレームを拡大し、
第２の復号手段により、前記入力手段に入力された圧縮差分信号を復号して差分映像フレームを得、
重畳手段により、前記拡大手段で拡大された映像フレームと前記第２の復号手段で復号された差分映像フレームとを重畳する際、
調整手段により、前記拡大手段で拡大された映像フレームと前記第２の復号手段で復号された差分映像フレームとに対し、時間的に対応するフレーム同士が重畳されるようにタイミング調整を行なう電子機器の制御方法。
【請求項７】
映像信号の低域成分を帯域圧縮した圧縮信号を復号して映像フレームを得る処理と、
復号された映像フレームを拡大する処理と、
前記映像信号とその低域成分との差分を帯域圧縮した圧縮差分信号を復号して差分映像フレームを得る処理と、
拡大された映像フレームと復号された差分映像フレームとを重畳する際、拡大された映像フレームと復号された差分映像フレームとに対し、時間的に対応するフレーム同士が重畳されるようにタイミング調整を行なう処理とを、コンピュータに実行させる電子機器制御用プログラム。
【発明の詳細な説明】
【技術分野】
【０００１】
この発明の実施の形態は、高精細映像信号を再生可能な電子機器、電子機器の制御方法及び電子機器制御用プログラムに関する。
【背景技術】
【０００２】
周知のように、現在、一般家庭向けとして普及している高精細のデジタルテレビジョン放送受信装置としては、水平方向が１９２０画素で垂直方向が１０８０画素の画素数を備えた、２Ｋ１Ｋと称される高精細な映像の表示に対応したＨＤＴＶ（high-definition television）が主流になっている。
【０００３】
一方、現在では、水平方向に３８４０画素を備え垂直方向に２１６０画素を備えた、４Ｋ２Ｋと称されるＨＤＴＶの４倍の解像度を有する映像や、水平方向に７６８０画素を備え垂直方向に４３２０画素を備えた、８Ｋ４Ｋと称されるＨＤＴＶの１６倍の解像度を有する映像のような、超高精細な映像の表示に対応したＵＨＤＴＶ（Ultra HDTV）の開発も盛んに行なわれている。
【０００４】
ところで、このような超高精細に対応した情報量の多い映像信号を、限られた伝送路帯域内で効率良く高い信頼性を持って配信するためには、映像信号を、低域成分と、当該映像信号と低域成分との差分とに分け、低域成分を帯域圧縮した圧縮信号と、差分を帯域圧縮した圧縮差分信号とを伝送するようにしている。
【０００５】
そして、受信側では、圧縮信号と圧縮差分信号とをそれぞれ受信し、圧縮信号を復号して得られる映像フレームと、圧縮差分信号を復号して得られる差分映像フレームとを重畳することにより、元の超高精細に対応した映像信号を復元するようにしている。
【先行技術文献】
【特許文献】
【０００６】
【特許文献１】特開２０１１−１７２２１９号公報
【特許文献２】特開２０１２−０４４２５３号公報
【特許文献３】特開２００８−２８８８３３号公報
【発明の概要】
【発明が解決しようとする課題】
【０００７】
圧縮信号を復号して得られる映像フレームと圧縮差分信号を復号して得られる差分映像フレームとを重畳する際、時間的に対応するフレーム同士が重畳されるようにタイミング調整することを、簡易な構成で容易に行ない得るようにした電子機器、電子機器の制御方法及び電子機器制御用プログラムを提供することを目的とする。
【課題を解決するための手段】
【０００８】
実施の形態によれば、電子機器は、入力手段と第１の復号手段と拡大手段と第２の復号手段と重畳手段と調整手段とを具備する。入力手段は、映像信号の低域成分を帯域圧縮した圧縮信号と、映像信号とその低域成分との差分を帯域圧縮した圧縮差分信号とを入力する。第１の復号手段は、入力手段に入力された圧縮信号を復号して映像フレームを得る。拡大手段は、第１の復号手段で復号された映像フレームを拡大する。第２の復号手段は、入力手段に入力された圧縮差分信号を復号して差分映像フレームを得る。重畳手段は、拡大手段で拡大された映像フレームと第２の復号手段で復号された差分映像フレームとを重畳する。調整手段は、拡大手段で拡大された映像フレームと第２の復号手段で復号された差分映像フレームとに対し、時間的に対応するフレーム同士が重畳手段で重畳されるようにタイミング調整を行なう。
【図面の簡単な説明】
【０００９】
【図１】実施の形態としてのコンテンツ配信システムの一例を概略的に説明するために示すブロック構成図。
【図２】同実施の形態におけるコンテンツ配信システムを構成する受信端末の一例を概略的に説明するために示すブロック構成図。
【図３】同実施の形態における受信端末を操作するリモートコントローラの一例を説明するために示す外観図。
【図４】同実施の形態における受信端末が有する映像信号復元部の一例を説明するために示すブロック構成図。
【図５】同実施の形態における映像信号復元部に供給される圧縮信号のデータ構造の一例を説明するために示す図。
【図６】同実施の形態における映像信号復元部に供給される圧縮差分信号のデータ構造の一例を説明するために示す図。
【図７】同実施の形態における映像信号復元部が行なう主要な処理動作の一例を説明するために示すタイミング図。
【図８】同実施の形態における映像信号復元部が行なうタイミング調整動作の一例を説明するために示す図。
【図９】同実施の形態における映像信号復元部が行なうタイミング調整動作の他の例を説明するために示す図。
【図１０】同実施の形態における受信端末が有する映像信号復元部の変形例を説明するために示すブロック構成図。
【図１１】同実施の形態の変形例における映像信号復元部が行なう主要な処理動作の一例を説明するために示すタイミング図。
【図１２】同実施の形態における受信端末で表示される映像選択設定画面の一例を説明するために示す図。
【図１３】同実施の形態における受信端末で表示される超高精細映像の表示画面の一例を説明するために示す図。
【図１４】同実施の形態における受信端末で表示される映像モード選択画面の一例を説明するために示す図。
【発明を実施するための形態】
【００１０】
以下、実施の形態について図面を参照して詳細に説明する。図１は、この実施の形態で説明するコンテンツ配信システム１１の一例を概略的に示している。まず、このコンテンツ配信システム１１では、放送局１２から放送波を媒体として配信される番組コンテンツが、受信端末１３に受信されて映像表示や音声再生等に供される。
【００１１】
また、このコンテンツ配信システム１１では、放送局１２から有線または無線通信により、番組コンテンツがサーバ１４に供給され蓄積されるようになっている。そして、上記受信端末１３は、有線または無線による通信が可能なＬＡＮ（local area network）ルータ１５、例えば固定ＩＰ（internet protocol）通信網等でなるネットワーク回線網１６、ゲートウェイ１７を介してサーバ１４にアクセス可能となっている。
【００１２】
これにより、受信端末１３では、サーバ１４から予め設定された番組配信スケジュールに基づいて配信される番組コンテンツを取得して映像表示や音声再生等を行なう、いわゆるＩＰ放送機能や、サーバ１４に要求した番組コンテンツを取得して映像表示や音声再生等を行なう、いわゆるＶＯＤ（video on demand）機能等を実現することができる。
【００１３】
また、このコンテンツ配信システム１１では、放送局１２が、例えば４Ｋ２Ｋ等のような超高精細に対応する映像信号を配信することができる。この場合、放送局１２では、映像信号を、低域成分と、当該映像信号と低域成分との差分とに分け、低域成分を帯域圧縮した圧縮信号を、放送波を媒体として配信し、差分を帯域圧縮した圧縮差分信号を、サーバ１４に供給するようにしている。
【００１４】
このため、受信端末１３では、放送波から圧縮信号を受信し、サーバ１４から圧縮差分信号を取得する。そして、圧縮信号を復号して得られた映像フレームと、圧縮差分信号を復号して得られた差分映像フレームとを重畳することにより、元の映像信号を復元することができる。
【００１５】
図２は、上記受信端末１３の信号処理系の一例を概略的に示している。すなわち、アンテナ１８で受信した放送信号は、入力端子１９を介してチューナ部２０に供給されることにより、所望のチャンネルの放送信号が選局される。このチューナ部２０で選局された放送信号は、信号処理部２１に供給される。
【００１６】
この信号処理部２１は、詳細は後述するが、入力された放送信号に対して復号処理を施し、映像信号、音声信号、字幕／文字スーパー情報及び番組関連情報を復元している。また、映像信号が、その低域成分を帯域圧縮した圧縮信号と、当該映像信号と低域成分との差分を帯域圧縮した圧縮差分信号とに分離されている場合には、これらの信号から元の映像信号を復元する処理も行なっている。そして、この信号処理部２１は、復元した映像信号を合成処理部２２に出力し、復元した音声信号を音声処理部２３に出力している。
【００１７】
このうち、合成処理部２２は、信号処理部２１から供給される映像信号に、ＯＳＤ（on screen display）信号を重畳して出力している。この合成処理部２２から出力された映像信号は、映像処理部２４に供給されて、後段の、例えば液晶表示パネル等を有する平面型の映像表示部２６で表示可能なフォーマットに変換された後、出力端子２５を介して上記映像表示部５６に供給されて映像表示に供される。
【００１８】
また、上記音声処理部２３は、入力された音声信号を、後段のスピーカ２８で再生可能なフォーマットの音声信号に変換している。そして、この音声処理部２３から出力された音声信号が、出力端子２７を介して上記スピーカ２８に供給されることにより音声再生に供される。
【００１９】
ここで、この受信端末１３は、上記した各種の受信動作を含む種々の動作を制御部２９によって統括的に制御されている。この制御部２９は、ＣＰＵ（central processing unit）２９ａを内蔵しており、受信端末１３の本体に設けられた操作部３０からの操作情報、または、リモートコントローラ３１から送信され受信部３２で受信された操作情報を受けることにより、その操作内容が反映されるように各部をそれぞれ制御している。
【００２０】
この場合、制御部２９は、メモリ部２９ｂを利用している。このメモリ部２９ｂは、主として、ＣＰＵ２９ａが実行する制御プログラムを格納したＲＯＭ（read only memory）と、該ＣＰＵ２９ａに作業エリアを提供するためのＲＡＭ（random access memory）と、各種の設定情報及び制御情報等が格納される不揮発性メモリとを有している。
【００２１】
また、この制御部２９には、ＨＤＤ（hard disk drive）３３が接続されている。この制御部２９は、ユーザによる操作部３０やリモートコントローラ３１の操作に基づいて、上記信号処理部２１から得られる映像信号及び音声信号をＨＤＤ３３に供給し、ハードディスク３３ａに記録させるように制御することができる。
【００２２】
また、この制御部２９は、ユーザによる操作部３０やリモートコントローラ３１の操作に基づいて、ＨＤＤ３３によりハードディスク３３ａから映像信号及び音声信号を読み出させて信号処理部２１に供給することによって、以後、上記した映像表示及び音声再生に供させるように制御することができる。
【００２３】
さらに、この制御部２９には、ネットワークインターフェース３４が接続されている。このネットワークインターフェース３４は、上記ＬＡＮルータ１５と情報伝送可能に接続されている。このため、制御部２９は、ユーザによる操作部３０やリモートコントローラ３１の操作に基づき、ＬＡＮルータ１５、ネットワーク回線網１６及びゲートウェイ１７を介してサーバ１４にアクセスし、そこで提供している番組コンテンツ（圧縮差分信号等を含む）を取得することができるようになっている。
【００２４】
なお、サーバ１４から取得した番組コンテンツを構成する映像信号や音声信号等についても、上記した映像表示及び音声再生に供されることや、ＨＤＤ３３によりハードディスク３３ａに対する記録再生に供されることは言うまでもないことである。
【００２５】
図３は、上記リモートコントローラ３１の外観を示している。このリモートコントローラ３１には、主として、電源キー３１ａ、数字キー３１ｂ、チャンネルアップダウンキー３１ｃ、音量調整キー３１ｄ、カーソル上移動キー３１ｅ、カーソル下移動キー３１ｆ、カーソル左移動キー３１ｇ、カーソル右移動キー３１ｈ、決定キー３１ｉ、メニューキー３１ｊ、戻るキー３１ｋ、終了キー３１ｌ、４色（青，赤，緑，黄）のカラーキー３１ｍ等が設けられている。
【００２６】
また、このリモートコントローラ３１には、再生停止キー３１ｎ、再生／一時停止キー３１ｏ、逆方向スキップキー３１ｐ、順方向スキップキー３１ｑ、早戻しキー３１ｒ、早送りキー３１ｓ等が設けられている。すなわち、上記ＨＤＤ３３に対しては、リモートコントローラ３１の再生停止キー３１ｎや再生／一時停止キー３１ｏを操作することによって、再生、停止、一時停止を行なうことが可能となる。
【００２７】
また、リモートコントローラ３１の逆方向スキップキー３１ｐや順方向スキップキー３１ｑを操作することによって、ＨＤＤ３３でハードディスク３３ａから読み取っている映像や音声等のデータを、その再生方向に対して逆方向や順方向に一定量ずつスキップさせる、いわゆる、逆方向スキップや順方向スキップを行なうことができる。
【００２８】
さらに、リモートコントローラ３１の早戻しキー３１ｒや早送りキー３１ｓ等を操作することにより、ＨＤＤ３３でハードディスク３３ａから読み取っている映像や音声等のデータを、その再生方向に対して逆方向や順方向に連続的に高速で再生させる、いわゆる、早戻し再生や早送り再生を行なうことができる。
【００２９】
図４は、上記受信端末１３の信号処理部２１の中の、圧縮信号と圧縮差分信号とから元の映像信号を復元する映像信号復元部３５の一例を示している。すなわち、この映像信号復元部３５は、放送波を受信して得られた圧縮信号が供給される入力端子３６と、サーバ１４から取得した圧縮差分信号が供給される入力端子３７とを備えている。
【００３０】
ここで、入力端子３６に供給される圧縮信号は、図５（ａ）に示すように、１フレームを構成する圧縮映像信号が必要なフレーム数（図では５つ）だけ連続し、その先頭に各フレームの圧縮映像信号を復号し表示する時刻を生成する基となる時刻信号が付加される構造となっており、その構造が繰り返されている。１フレーム内には、図５（ｂ）に示すように、圧縮映像信号の他に、当該圧縮映像信号に復号を開始する時刻を示す再生時刻と、復号された映像フレームを出力する時刻を示す表示時刻とが付加されている。
【００３１】
そして、入力端子３６に供給された圧縮信号は、入力バッファ３８を介して分離部３９に供給される。この分離部３９は、入力された圧縮信号を、フレーム内信号（圧縮映像信号、再生時刻、表示時刻）と時刻信号とに分離し、フレーム内信号を復号処理部４０に供給し、時刻信号を時刻カウンタ４１に供給する。
【００３２】
このうち、時刻カウンタ４１は、入力された時刻信号で与えられる時刻から時刻のカウントを開始し、カウントした時刻を復号処理部４０及び時刻補正部４２に供給している。また、復号処理部４０は、入力されたフレーム内信号から再生時刻及び表示時刻を取り出し、時刻カウンタ４１から供給された時刻が再生時刻に達したとき、そのフレーム内の圧縮映像信号の復号を開始し、時刻カウンタ４１から供給された時刻が表示時刻に達したとき、復号後の映像信号をスケーラ４３に出力する。そして、このスケーラ４３は、入力された映像信号に対して、その映像フレームを拡大する処理を施した後、重畳処理部４４に出力する。
【００３３】
また、上記入力端子３７に供給される差分圧縮信号は、図６（ａ）に示すように、１フレームを構成する圧縮差分映像信号が必要なフレーム数（図では５つ）だけ連続し、その先頭に各フレームの圧縮差分映像信号を復号し表示する時刻を生成する基となる時刻信号が付加される構造となっており、その構造が繰り返されている。１フレーム内には、図６（ｂ）に示すように、圧縮差分映像信号の他に、当該圧縮差分映像信号に復号を開始する時刻を示す再生時刻と、復号された映像フレームを出力する時刻を示す表示時刻とが付加されている。
【００３４】
そして、この入力端子３７に供給された圧縮差分信号は、入力バッファ４５を介して分離部４６に供給される。この分離部４６は、入力された圧縮差分信号からフレーム内信号（圧縮差分映像信号、再生時刻、表示時刻）を取り出して復号処理部４７に供給する。なお、上記時刻補正部４２は、時刻カウンタ４１から供給された時刻に対して一定の補正量を加え、補正後の時刻を復号処理部４７に供給している。
【００３５】
そして、この復号処理部４７は、入力されたフレーム内信号から再生時刻及び表示時刻を取り出し、時刻補正部４２から供給された時刻が再生時刻に達したとき、そのフレーム内の圧縮差分映像信号の復号を開始し、時刻補正部４２から供給された時刻が表示時刻に達したとき、復号後の差分映像信号を重畳処理部４４に出力する。
【００３６】
この重畳処理部４４は、スケーラ４３から供給される映像信号と復号処理部４７から供給される差分映像信号とを重畳して元の映像信号を復元する。この場合、詳細は後述するが、時間的に対応する映像フレームと差分映像フレームとが重畳されるように、時刻補正部４２によってタイミングが調整されている。そして、この重畳処理部４４から出力される映像信号が、出力バッファ４８を介して出力端子４９から取り出され、以下、映像表示等に供される。
【００３７】
図７は、上記映像信号復元部３５において、時間的に対応する映像フレームと差分映像フレームとが重畳されるように時刻補正部４２によってタイミングを調整する処理動作を説明している。
【００３８】
すなわち、復号処理部４０に対して、図７（ａ）に示すような圧縮映像信号のフレームＣＬｎ（ｎ＝０，１，２，３，……）が順次供給されると、時刻カウンタ４１の時刻が再生時刻ＴＬｎ０に達したとき、該当フレームＣＬｎの復号が開始され、時刻カウンタ４１の時刻が表示時刻ＴＬｎ１に達したとき、図７（ｂ）に示すように、復号後の映像フレームＦＬｎが出力される。この場合、先頭の圧縮映像フレームＣＬ０の再生時刻ＴＬ００から表示時刻ＴＬ０１までの時間を復号遅延時間ＴＬとする。
【００３９】
そして、復号後の映像フレームＦＬｎに対して、スケーラ４３により拡大処理が施されることにより、図７（ｃ）に示すように、拡大処理された映像フレームＦＳｎが出力される。この場合、先頭の復号後の映像フレームＦＬ０の表示時刻ＴＬ０１から、拡大後の映像フレームＦＳ０が出力される時刻ＴＬ０２までの時間、つまり、スケーラ４３の処理時間をＴＳとする。なお、圧縮映像フレームＣＬｎの復号順序と復号後の映像フレームＦＬｎの出力順序とは入れ替わることもあり得る。
【００４０】
一方、図７（ｄ）は、復号処理部４７に供給される圧縮差分映像信号のフレームＣＨｎを示している。この場合、先頭のフレームＣＨ０の再生時刻ＴＨ００は、先頭の圧縮映像フレームＣＬ０の再生時刻ＴＬ００よりも補正時間ＴＣだけ遅れるように、時刻補正部４２によって時刻カウンタ４１の出力時刻が補正されている。
【００４１】
そして、時刻補正部４２の時刻が再生時刻ＴＨｎ０に達したとき、該当フレームＣＨｎの復号が開始され、時刻補正部４２の時刻が表示時刻ＴＨｎ１に達したとき、図７（ｅ）に示すように、復号後の差分映像フレームＦＨｎが出力される。この場合、先頭の圧縮差分映像フレームＣＨ０の再生時刻ＴＨ００から表示時刻ＴＨ０１までの時間を復号遅延時間ＴＨとする。なお、圧縮差分映像フレームＣＨｎの復号順序と復号後の差分映像フレームＦＨｎの出力順序とは入れ替わることもあり得る。
【００４２】
ここで、図７（ｃ）に示す拡大処理後の映像フレームＦＳｎと、図７（ｅ）に示す差分映像フレームＦＨｎとに対し、時間的に対応するフレーム同士が重畳処理部４４で重畳されるようにタイミング調整するためには、
ＴＬ＋ＴＳ＝ＴＣ＋ＴＨ
なる条件が満足されるように補正時間ＴＣを設定すれば良いことになる。
【００４３】
このように補正時間ＴＣを設定することにより、時間的に対応する映像フレームＦＳｎと差分映像フレームＦＨｎとを重畳することができ、図７（ｆ）に示すように、元の映像フレームＦＯｎを得ることができる。
【００４４】
図８は、時刻カウンタ４１の出力時刻を時刻補正部４２で補正することによって、先頭の圧縮差分映像フレームＣＨ０の再生時刻ＴＨ００を、先頭の圧縮映像フレームＣＬ０の再生時刻ＴＬ００よりも補正時間ＴＣだけ遅らせるようにする処理動作を概略的に説明している。
【００４５】
すなわち、時刻カウンタ４１でカウントされた時刻が、図８（ａ）に示すように、同じ時間間隔で便宜上「１００」，「２００」，「３００」，……と経過するものとし、圧縮映像フレームＣＬ０，ＣＬ１，ＣＬ２，……の再生時刻ＴＬ００，ＴＬ１０，ＴＬ２０，……が、図８（ｂ）に示すように、「１００」，「２００」，「３００」，……であるとする。
【００４６】
すると、時刻カウンタ４１の時刻が圧縮映像フレームＣＬ０の再生時刻ＴＬ００である「１００」に達したとき、圧縮映像フレームＣＬ０の復号が開始され、時刻カウンタ４１の時刻が圧縮映像フレームＣＬ１の再生時刻ＴＬ１０である「２００」に達したとき、圧縮映像フレームＣＬ１の復号が開始され、時刻カウンタ４１の時刻が圧縮映像フレームＣＬ２の再生時刻ＴＬ２０である「３００」に達したとき、圧縮映像フレームＣＬ２の復号が開始されるようになる。
【００４７】
一方、時刻補正部４２は、図８（ｃ）に示すように、時刻カウンタ４１でカウントされた時刻から補正時間ＴＣである「４００」を減算した時刻を出力する。つまり、時刻カウンタ４１の時刻が「４００」のとき「０」を出力し、「５００」のとき「１００」を出力し、「６００」のとき「２００」を出力し、「７００」のとき「３００」を出力する。
【００４８】
このため、圧縮差分映像フレームＣＨ０，ＣＨ１，ＣＨ２，……の再生時刻ＴＨ００，ＴＨ１０，ＴＨ２０，……が、図８（ｄ）に示すように、「１００」，「２００」，「３００」，……であるとすると、時刻カウンタ４１の時刻が「５００」、つまり、時刻補正部４２の出力時刻が圧縮差分映像フレームＣＨ０の再生時刻ＴＨ００である「１００」に達したとき、圧縮差分映像フレームＣＨ０の復号が開始される。
【００４９】
同様に、時刻カウンタ４１の時刻が「６００」、つまり、時刻補正部４２の出力時刻が圧縮差分映像フレームＣＨ１の再生時刻ＴＨ１０である「２００」に達したとき、圧縮差分映像フレームＣＨ１の復号が開始され、時刻カウンタ４１の時刻が「７００」、つまり、時刻補正部４２の出力時刻が圧縮差分映像フレームＣＨ２の再生時刻ＴＨ２０である「３００」に達したとき、圧縮差分映像フレームＣＨ２の復号が開始されることになる。
【００５０】
すなわち、先頭の圧縮差分映像フレームＣＨ０の再生時刻ＴＨ００を、先頭の圧縮映像フレームＣＬ０の再生時刻ＴＬ００よりも補正時間ＴＣ（＝４００）だけ遅らせることができるようになる。
【００５１】
上記した実施の形態によれば、時刻カウンタ４１の出力時刻から一定の補正量を減算するという簡易な構成で、圧縮映像信号を復号した映像フレームと圧縮差分映像信号を復号した差分映像フレームとを重畳する際に、時間的に対応するフレーム同士が重畳されるようにタイミング調整することを容易に行なうことができる。
【００５２】
また、圧縮差分信号が供給される入力バッファ４５としても、分離部４６での分離処理に必要なバッファ量の他に、補正時間ＴＣに対応する分の圧縮差分信号を蓄積可能なバッファ量を増やしたものとなっていれば良い。例えば、圧縮差分信号のビットレートが５０Ｍｂｐｓで、補正時間ＴＣが１６ｍｓの場合、バッファ量が８００ｋｂｉｔ増えるだけで済むことになる。
【００５３】
図９は、先頭の圧縮差分映像フレームＣＨ０の再生時刻ＴＨ００を、先頭の圧縮映像フレームＣＬ０の再生時刻ＴＬ００よりも補正時間ＴＣだけ遅らせるようにする処理動作の他の例を概略的に説明している。ここでは、時刻カウンタ４１の出力時刻を補正するのではなく、圧縮差分映像フレームＣＨ０，ＣＨ１，ＣＨ２，……の再生時刻ＴＨ００，ＴＨ１０，ＴＨ２０，……を補正する例について説明している。
【００５４】
すなわち、時刻カウンタ４１でカウントされた時刻が、図９（ａ）に示すように、同じ時間間隔で便宜上「１００」，「２００」，「３００」，……と経過するものとし、圧縮映像フレームＣＬ０，ＣＬ１，ＣＬ２，……の再生時刻ＴＬ００，ＴＬ１０，ＴＬ２０，……が、図９（ｂ）に示すように、「１００」，「２００」，「３００」，……であるとする。
【００５５】
すると、前述したように、時刻カウンタ４１の時刻が圧縮映像フレームＣＬ０の再生時刻ＴＬ００である「１００」に達したとき、圧縮映像フレームＣＬ０の復号が開始され、時刻カウンタ４１の時刻が圧縮映像フレームＣＬ１の再生時刻ＴＬ１０である「２００」に達したとき、圧縮映像フレームＣＬ１の復号が開始され、時刻カウンタ４１の時刻が圧縮映像フレームＣＬ２の再生時刻ＴＬ２０である「３００」に達したとき、圧縮映像フレームＣＬ２の復号が開始されるようになる。
【００５６】
一方、圧縮差分映像フレームＣＨ０，ＣＨ１，ＣＨ２，……の再生時刻ＴＨ００，ＴＨ１０，ＴＨ２０，……が、図９（ｃ）に示すように、「１００」，「２００」，「３００」，……であるとすると、この再生時刻ＴＨ００，ＴＨ１０，ＴＨ２０，……に補正時間ＴＣである「４００」を加算する。つまり、圧縮差分映像フレームＣＨ０の再生時刻ＴＨ００を「５００」に書き替え、圧縮差分映像フレームＣＨ１の再生時刻ＴＨ１０を「６００」に書き替え、圧縮差分映像フレームＣＨ２の再生時刻ＴＨ２０を「７００」に書き替える。
【００５７】
これにより、時刻カウンタ４１の出力時刻が、圧縮差分映像フレームＣＨ０の補正された再生時刻ＴＨ００である「５００」に達したとき、圧縮差分映像フレームＣＨ０の復号が開始され、時刻カウンタ４１の出力時刻が、圧縮差分映像フレームＣＨ１の補正された再生時刻ＴＨ１０である「６００」に達したとき、圧縮差分映像フレームＣＨ１の復号が開始され、時刻カウンタ４１の出力時刻が、圧縮差分映像フレームＣＨ２の補正された再生時刻ＴＨ２０である「７００」に達したとき、圧縮差分映像フレームＣＨ２の復号が開始されることになる。
【００５８】
すなわち、先頭の圧縮差分映像フレームＣＨ０の再生時刻ＴＨ００を、先頭の圧縮映像フレームＣＬ０の再生時刻ＴＬ００よりも補正時間ＴＣ（＝４００）だけ遅らせることができるようになる。
【００５９】
図１０は、上記映像信号復元部３５の変形例を示している。図１０において、図４と同一部分には同一符号を付して説明すると、時刻カウンタ４１の出力時刻を時刻補正部４２で補正することなく、そのまま復号処理部４７に供給している。また、復号処理部４７で復号された差分映像信号を、遅延バッファ５０により補正時間ＴＤだけ遅延させて重畳処理部４４に供給し、スケーラ４３から供給される映像信号と重畳するようにしている。この場合、詳細は後述するが、時間的に対応する映像フレームと差分映像フレームとが重畳されるように、遅延バッファ５０によって差分映像フレームを重畳処理部４４に出力するタイミングが調整されている。
【００６０】
図１１は、上記映像信号復元部３５において、時間的に対応する映像フレームと差分映像フレームとが重畳されるように、遅延バッファ５０によって差分映像フレームのタイミングを調整する処理動作を説明している。
【００６１】
すなわち、復号処理部４０に対して、図１１（ａ）に示すような圧縮映像信号のフレームＣＬｎ（ｎ＝０，１，２，３，……）が順次供給されると、時刻カウンタ４１の時刻が再生時刻ＴＬｎ０に達したとき、該当フレームＣＬｎの復号が開始され、時刻カウンタ４１の時刻が表示時刻ＴＬｎ１に達したとき、図１１（ｂ）に示すように、復号後の映像フレームＦＬｎが出力される。この場合、先頭の圧縮映像フレームＣＬ０の再生時刻ＴＬ００から表示時刻ＴＬ０１までの時間を復号遅延時間ＴＬとする。
【００６２】
そして、復号後の映像フレームＦＬｎに対して、スケーラ４３により拡大処理が施されることにより、図１１（ｃ）に示すように、拡大処理された映像フレームＦＳｎが出力される。この場合、先頭の復号後の映像フレームＦＬ０の表示時刻ＴＬ０１から、拡大後の映像フレームＦＳ０が出力される時刻ＴＬ０２までの時間、つまり、スケーラ４３の処理時間をＴＳとする。なお、圧縮映像フレームＣＬｎの復号順序と復号後の映像フレームＦＬｎの出力順序とは入れ替わることもあり得る。
【００６３】
一方、図１１（ｄ）は、復号処理部４７に供給される圧縮差分映像信号のフレームＣＨｎを示している。すなわち、時刻カウンタ４１の時刻が再生時刻ＴＨｎ０に達したとき、該当フレームＣＨｎの復号が開始され、時刻カウンタ４１の時刻が表示時刻ＴＨｎ１に達したとき、図１１（ｅ）に示すように、復号後の差分映像フレームＦＨｎが出力される。この場合、先頭の圧縮差分映像フレームＣＨ０の再生時刻ＴＨ００から表示時刻ＴＨ０１までの時間を復号遅延時間ＴＨとする。なお、圧縮差分映像フレームＣＨｎの復号順序と復号後の差分映像フレームＦＨｎの出力順序とは入れ替わることもあり得る。そして、復号後の差分映像フレームＦＨｎは、図１１（ｆ）に示すように、遅延バッファ５０により補正時間ＴＤだけ遅延されて重畳処理部４４に供給される。
【００６４】
ここで、図１１（ｃ）に示す拡大処理後の映像フレームＦＳｎと、図１１（ｆ）に示す遅延後の差分映像フレームＦＤｎとに対し、時間的に対応するフレーム同士が重畳処理部４４で重畳されるようにタイミング調整するためには、
ＴＬ＋ＴＳ＝ＴＨ＋ＴＤ
なる条件が満足されるように補正時間ＴＤを設定すれば良いことになる。
【００６５】
このように補正時間ＴＤを設定することにより、時間的に対応する映像フレームＦＳｎと差分映像フレームＦＤｎとを重畳することができ、図１１（ｇ）に示すように、元の映像フレームＦＯｎを得ることができる。
【００６６】
この場合、遅延バッファ５０は、補正時間ＴＤに対応する分の差分映像信号を蓄積可能なバッファ量を有していれば良い。例えば、差分映像信号のビットレートが５７６０Ｍｂｐｓで、補正時間ＴＤが１６ｍｓの場合、遅延バッファ５０のバッファ量は、およそ９２Ｍｂｉｔで済むことになり、簡易な構成で、圧縮映像信号を復号した映像フレームと圧縮差分映像信号を復号した差分映像フレームとを重畳する際に、時間的に対応するフレーム同士が重畳されるようにタイミング調整することを容易に行なうことができる。
【００６７】
ここで、上記した受信端末１３においては、例えば４Ｋ２Ｋのような超高精細に対応する映像信号を、出力端子２５から出力させるか否かをユーザに設定させる機能を搭載していれば便利である。すなわち、出力端子２５に接続されている映像表示部２６が、超高精細の映像表示に対応するものである場合とそうでない場合とを考慮することができるからである。
【００６８】
超高精細対応の映像信号を出力させるか否かの設定は、ユーザが、上記リモートコントローラ３１のメニューキー３１ｊを操作して、階層構造となされたメニュー画面に分け入ることにより、図１２に示すような、映像選択設定画面５１を映像表示部２６に表示させることにより行なわれる。
【００６９】
この映像選択設定画面５１は、「超高精細映像を出力可能にしますか」という質問文５１ａと、「はい」という項目５１ｂと、「いいえ」という項目５１ｃとを表示させている。そして、ユーザは、リモートコントローラ３１のカーソル左または右移動キー３１ｇ，３１ｈを操作して所望の項目５１ｂ，５１ｃを選択し、決定キー３１ｉを操作することによって、超高精細対応の映像信号を出力させるか否かの設定を行なうことができる。
【００７０】
また、超高精細の映像が映像表示部２６に表示された際には、図１３に示すように、映像表示部２６の表示画面５２の一部に「超高精細映像です」のようなメッセージ５２ａが自動的に表示されるようにすることもできる。このメッセージ５２ａは、超高精細映像が表示された時点で自動的に表示され、以後、超高精細映像の表示中ずっと表示されていても良いし、一定時間経過後に自動的に消えるようにしても良いものである。
【００７１】
さらに、上記した受信端末１３においては、表示する映像の種類（例えば映画，ゲーム，風景等）に応じて、その表示に最適な復号処理を行なえるように、ユーザが映像モードを選択する機能を有している。この映像モードの選択は、ユーザが、上記リモートコントローラ３１のメニューキー３１ｊを操作して、階層構造となされたメニュー画面に分け入ることにより、図１４に示すような、映像モード選択画面５３を映像表示部２６に表示させることにより行なわれる。
【００７２】
この映像モード選択画面５３は、「ノーマルモード」，「映画モード」，「ゲームモード」，「風景モード」という各項目を表示している。そして、ユーザが、リモートコントローラ３１のカーソル上または下移動キー３１ｅ，３１ｆを操作して所望の項目を選択し、決定キー３１ｉを操作することによって、所望のモードに設定することができる。
【００７３】
この場合、設定されたモードに応じて、復号処理部４０の復号遅延時間ＴＬ，スケーラ４３の処理時間ＴＳ，復号処理部４７の復号遅延時間ＴＨが異なるので、それに応じて補正時間ＴＣやＴＤが自動的に変更されるようにすることができる。
【００７４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７５】
１１…コンテンツ配信システム、１２…放送局、１３…受信端末、１４…サーバ、１５…ＬＡＮルータ、１６…ネットワーク回線網、１７…ゲートウェイ、１８…アンテナ、１９…入力端子、２０…チューナ部、２１…信号処理部、２２…合成処理部、２３…音声処理部、２４…映像処理部、２５…出力端子、２６…映像表示部、２７…出力端子、２８…スピーカ、２９…制御部、２９ａ…ＣＰＵ、２９ｂ…メモリ部、３０…操作部、３１…リモートコントローラ、３２…受信部、３３…ＨＤＤ、３３ａ…ハードディスク、３４…ネットワークインターフェース、３５…映像信号復元部、３６…入力端子、３７…入力端子、３８…入力バッファ、３９…分離部、４０…復号処理部、４１…時刻カウンタ、４２…時刻補正部、４３…スケーラ、４４…重畳処理部、４５…入力バッファ、４６…分離部、４７…復号処理部、４８…出力バッファ、４９…出力端子、５０…遅延バッファ、５１…映像選択設定画面、５２…表示画面、５３…映像モード選択画面。
【図１】
2014146983.tif 000003
【図２】
2014146983.tif 000004
【図３】
2014146983.tif 000005
【図４】
2014146983.tif 000006
【図５】
2014146983.tif 000007
【図６】
2014146983.tif 000008
【図７】
2014146983.tif 000009
【図８】
2014146983.tif 000010
【図９】
2014146983.tif 000011
【図１０】
2014146983.tif 000012
【図１１】
2014146983.tif 000013
【図１２】
2014146983.tif 000014
【図１３】
2014146983.tif 000015
【図１４】
2014146983.tif 000016